(57)【要約】使い捨て衛生座席カバー（１０）は、子供の脚のために座席カバー領域を貫通する開口部を提供するよう適合された通路（３６、３８）を備えた座席カバー領域を有するベースシート（１２）を含む。通路（３２、３４）は座席カバー領域上に設けられ、これらを通して安全ベルトを配置してもよい。【選択図】図３
2005501601.tif 000002
【特許請求の範囲】
【請求項１】
使い捨て衛生座席カバーであって、
前面および背面を有し、かつ座席部を画定する材料からなる第１シートと、
前記シートの背面に固定される接着性ストリップとを備えることを特徴とする使い捨て衛生座席カバー。
【請求項２】
請求項１に記載の使い捨て衛生座席カバーであって、前記座席部が第１通路および第２通路を備えており、前記第１および第２通路のそれぞれは、拘束装置が前記第１シートを貫通可能なように適合されていることを特徴とする使い捨て衛生座席カバー。
【請求項３】
請求項１に記載の使い捨て衛生座席カバーであって、前記座席部は、子供の脚が貫通可能なようにそれぞれ適合されている第３通路および第４通路を備えることを特徴とする使い捨て衛生座席カバー。
【請求項４】
請求項１に記載の使い捨て衛生座席カバーであって、前記第１シートがフラップ部をさらに画定することを特徴とする使い捨て衛生座席カバー。
【請求項５】
請求項４に記載の使い捨て衛生座席カバーであって、前記フラップ部が少なくとも１つの除去可能な部分を含むことを特徴とする使い捨て衛生座席カバー。
【請求項６】
請求項１に記載の使い捨て衛生座席カバーであって、前記座席部が弾性部材を含むことを特徴とする使い捨て衛生座席カバー。
【請求項７】
請求項１に記載の使い捨て衛生座席カバーであって、前記座席部は、前記座席カバーが載置される座席の角部に引っ掛けるようそれぞれ適合された第５通路および第６通路を備えることを特徴とする使い捨て衛生座席カバー。
【請求項８】
請求項１に記載の使い捨て衛生座席カバーであって、前記座席部は、前記座席カバーが載置される座席の角部に引っ掛けるようそれぞれ適合された第７通路および第８通路を備えることを特徴とする使い捨て衛生座席カバー。
【請求項９】
請求項１に記載の使い捨て衛生座席カバーであって、前記座席部の一部に沿って延在する第２シートをさらに備えることを特徴とする使い捨て衛生座席カバー。
【請求項１０】
予め包装された取り出し可能な使い捨て座席カバーのセットであって、
該座席カバーのセットが複数の使い捨て座席カバーを備えており、前記使い捨て衛生座席カバーのそれぞれが、前面および背面を有し、かつ座席部を画定する材料からなる第１シートと、前記座席部を座席に拘束する手段とを備えており、複数の前記使い捨て座席カバーが、長手方向軸に沿って延在する長さを有する材料からなる連続ウエブを画定しており、材料の連続ウエブが中心軸に巻きつけられてロールを形成しており、材料の前記ウエブから前記衛生座席カバーを容易に取り出せるように、隣接する座席カバーがミシン目により分離されていることを特徴とする予め包装された取り出し可能な使い捨て座席カバーのセット。
【請求項１１】
予め包装された取り出し可能な使い捨て座席カバーのセットであって、
該座席カバーのセットが複数の使い捨て座席カバーを備えており、使い捨て座席カバーのそれぞれが前面および背面を有し、かつ座席部を画定する材料からなる第１シートと、前記座席部を座席に拘束する手段とを備えており、複数の前記使い捨て座席カバーが重なって互いに隣接して配置されることを特徴とする予め包装された取り出し可能な使い捨て座席カバーのセット。
【請求項１２】
請求項１１に記載の予め包装された取り出し可能な使い捨て座席カバーのセットであって、材料のウエブから衛生座席カバーを容易に取り出せるように、隣接する座席カバーがミシン目により分離されていることを特徴とする予め包装された取り出し可能な使い捨て座席カバーのセット。
【請求項１３】
請求項１１に記載の予め包装された取り出し可能な使い捨て座席カバーのセットであって、隣接する座席カバーの隣接する部分が重なって交互に配置されることを特徴とする予め包装された取り出し可能な使い捨て座席カバーのセット。
【請求項１４】
使い捨て衛生座席カバーを取り出すシステムであって、該システムが、
内部チャンバを画定するハウジング、およびハウジングの壁部内に少なくとも１つの通路を含む取り出し容器と、
ハウジングの内部チャンバ内に配置された、予め包装された使い捨て座席カバーのセットとを備えており、
前記使い捨て座席カバーが、ハウジングの壁部内の少なくとも１つの通路を通して取り出すことができることを特徴とする使い捨て衛生座席カバーを取り出すシステム。
【請求項１５】
請求項１４に記載のシステムであって、取り出し容器が表面に装着するよう適合されていることを特徴とするシステム。
【発明の詳細な説明】
【技術分野】
【０００１】
本発明は衛生用製品、より具体的には使い捨て衛生座席カバー、ならびにそれを製造および使用する方法に関する。
【背景技術】
【０００２】
アリゾナ大学による最近の研究では、ショッピングカートは消費者の通常接触する最も汚染された物に入ると結論付けられている。乳児、幼児、および児童は両親の買い物に同行することが多い。そして高い頻度で、子供たちはショッピングカートのチャイルドシート（ｃｈｉｌｄ  ｓｅａｔ）に拘束されるが、これにより子供達はショッピングカートの汚染された表面と接触させられることになる。子供によるショッピングカートとの接触を制限し、ショッピングカートの汚染された表面と接触して生じ得る疾患または疾病の可能性を低減することが望ましい。
【０００３】
こうした問題に関し、チャイルドシートカバーが当該分野において公知である。例えば米国特許第５６７８８８８号、第６１２９４１７号、第６２３７９９８号公報（Ｕ．Ｓ．  Ｐａｔｅｎｔ  Ｎｏｓ．  ５，６７８，８８８，  ６，１２９，４１７，  ６，２３７，９９８）や米国意匠特許第４２３１７６号公報（Ｕ．Ｓ．  Ｄｅｓｉｇｎ  Ｐａｔｅｎｔ  Ｎｏ．  ４２３，１７６）には、種々のショッピングカートの座席カバーが記載されている。同様に、米国特許第５９６７６０６号、第６０６５６５５号、第６１２９４１８号公報（Ｕ．Ｓ．  Ｐａｔｅｎｔ  Ｎｏｓ．  ５，９６７，６０６，  ６，０６５，６５５，  ６，１２９，４１８）には、ショッピングカート用クッションが記載されている。米国特許第５８５５４１２号、第５８２９８３５号公報（Ｕ．Ｓ．  Ｐａｔｅｎｔ  Ｎｏｓ．  ５，８５５，４１２，  ５，８２９，８３５）には、ショッピングカートの座席カバーに転用されるおむつバッグが記載されている。米国特許第５６４１２００号、第５，７９１，７３２号、第５８１０４３７号、第５８４８７９７号、第６０３６２６４号、第６１６４７２１号、第６２２４１５２号公報（Ｕ．Ｓ．  Ｐａｔｅｎｔ  Ｎｏｓ．  ５，６４１，２００，  ５，７９１，７３２，  ５，８１０，４３７，  ５，８４８，７９７，  ６，０３６，２６４，  ６，１６４，７２１  ６，２２４，１５２）には、ショッピングカート内でまたはショッピングカートと共に使用されるよう適合された座席の種々の態様が記載されている。
【０００４】
少なくとも当初は、前記の特許公報に記載された装置のそれぞれは効果的ではあるが、これらの装置は多くの問題点に悩まされる。装置のそれぞれは多目的装置である。装置が汚染された表面に接触するたびに、装置の衛生的有効性が減少する。最終的には、装置はショッピングカート表面と同程度に汚染され、装置の効果がなくなってしまう。さらに、装置の多くは、装置を大きくし、かさばらせ、かつ輸送を困難にする構造的部品を含む。さらに、日常的な摩耗および裂傷により、時間の経過で製品の品質の低下を招く。
【発明の開示】
【発明が解決しようとする課題】
【０００５】
したがって、座席と座席の使用者との間の汚染物質の伝達のバリアとなる使い捨て衛生座席カバーを有することが望まれている。さらに、使い捨て衛生座席カバーは、新たな子供が座席を使用するたびに取り替えられるので、衛生座席カバーに取り外し可能なクーポンを張り付けられるということは、広告主にとって、さらなる利点となるであろう。
【課題を解決するための手段】
【０００６】
これらおよび他の必要性に対処するため、本発明は、例えばショッピングカートにおけるチャイルドシートや、レストランの幼児椅子等、公共の子供用座席設備での使用に容易に適合される、使い捨て衛生座席カバーを提供する。また本発明は、使い捨て衛生座席カバーを製造する方法、および複数の使い捨て座席カバーを予め包装された取り出し可能なパック（ｄｉｓｐｅｎｓａｂｌｅ  ｐａｃｋ）に組み立てるための構造を提供する。さらに、本発明は壁または他の適当な構造上に装着することができる取り出し容器（ｄｉｓｐｅｎｓｅｒ）を提供する。一実施態様において、消費者は取り出し容器より座席カバーを抜き取り、子供を座席に座らせるのに先立って、座席カバーを公共の座席設備に適用することができる。座席カバーは子供と座席との間の接触を低減し、これにより、座席上のいかなる汚染物質に子供がさらされる可能性を低減する。使用後は、座席カバーを取り外し、廃棄することができる。
【０００７】
例示的実施態様において、本発明は、前面および背面を有する材料からなり、座席部を画定する第１シート（ｆｉｒｓｔ  ｓｈｅｅｔ）と、前記材料の背面に固定される接着性ストリップとを備える使い捨て衛生座席カバーを提供する。
【０００８】
他の例示的実施態様において、本発明は、複数の使い捨て座席カバーを備えており、使い捨て衛生座席カバーのそれぞれが、前面および背面を有する材料からなり、座席部を画定する第１シートと、座席部を座席に拘束する手段とを備えた、予め包装された取り出し可能な使い捨て座席カバーのセット（ｓｅｔ）を提供する。複数の使い捨て座席カバーは、長手方向軸に沿って延在する長さを有する材料からなる連続ウエブを画定している。材料の連続ウエブは中心軸に巻きつけられてロールを形成してもよく、また材料のウエブから衛生座席カバーを容易に取り出せるように、隣接する座席カバーはミシン目により分離されていてもよい。
【０００９】
他の例示的実施態様において、本発明は、複数の使い捨て座席カバーを備えていて、この使い捨て座席カバーのそれぞれが、前面および背面を有する材料からなる第１シートで座席部を画定する第１シートと、その座席部を座席に拘束する手段とを備えた、予め包装された取り出し可能な使い捨て座席カバーのセットを提供する。複数の使い捨て座席カバーを、重ねて（ｉｎ  ａ  ｓｔａｃｋ）互いに隣接して配置してもよい。
【００１０】
さらに他の例示的実施態様において、本発明は、使い捨て衛生座席カバーを取り出すシステムを提供する。このシステムは、内部チャンバを画定するハウジング、およびハウジングの壁部内に少なくとも１つの通路を含む取り出し容器と、ハウジングの内部チャンバ内に配置された、予め包装された使い捨て座席カバーのセットとを備えており、使い捨て座席カバーは、ハウジングの壁部内の少なくとも１つの通路を通して取り出すことができる。
【発明を実施するための最良の形態】
【００１１】
図１および図２はそれぞれ、本発明による使い捨て衛生座席カバーの例示的実施態様の正面図および背面図である。図１および図２を参照すると、使い捨て衛生座席カバー１０は、前面１４および背面または裏面１６を有する材料からなるベースシート（ｂａｓｅ  ｓｈｅｅｔ）１２を含む。使用に際して、背面は覆われる座席に対し配置されてもよく、そして前面はカバーの使用者と接触する。「前」および「背」の語は任意に選択され、いずれの側を前または背と考えてもよいことは明白である。
【００１２】
座席カバー１０は、座席部３０と、座席部３０から垂下した随意のフラップ部２０とを含む。フラップ部２０は１個以上の除去可能な部分２２を含んでもよく、実用上は、その部分にクーポンや他の有用な消費者情報を印刷してもよい。除去可能な部分２２をフラップ部２０から切り取ることが可能となるよう、除去可能な部分２２にはミシン目が付されていてもよい。あるいは、除去可能な部分２２は、フラップ部２０の前面１４または背面１６のどちらか一方に除去可能に接着されている、すなわち除去可能な部分２２は接着性ステッカーであってもよい。また、座席部３０は、クーポンまたは他の消費者情報用に、１個以上の除去可能な部分を含むこともできることが理解される。
【００１３】
座席部３０は、物体がベースシート１２の面を通過するのを可能にする複数の通路を含む。例示的実施態様において、通路は、使用者がベースシート１２に開口部を作ることを可能にするミシン目として実施されてもよい。代替的実施態様において、製造過程において通路をシート（ｓｈｅｅｔ）に形成してもよく、かつ、必要に応じて、縫合または、ベースシート１２を製造する特定の材料に適した他の補強技術によって補強してもよい。座席部３０は第１通路３２および第２通路３４を含み、これらは、使用の際に、ショッピングカートの座席ベルト等の拘束装置が該通路３２、３４を通過することができるように配置されかつ寸法が決められる。例示的実施態様において、通路３２、３４は、長さが約７．６２ｃｍ（３  ｉｎｃｈｅｓ）であり、かつカバーの端部より約２０．３ｃｍ（８  ｉｎｃｈｅｓ）の位置に形成される。座席部３０はさらに第３通路３６および第４通路３８を含み、これらは、使用の際に、子供の脚が通路３６、３８を通過できるように配置されかつ寸法が決められる。例示的実施態様において、通路３６、３８は十字形に形成されており、そのそれぞれの線は、長さが約１５．２ｃｍ（ｓｉｘ  ｉｎｃｈｅｓ）であり、かつカバーの端部より約２５．４ｃｍ（ｔｅｎ  ｉｎｃｈｅｓ）から３０．５ｃｍ（ｔｗｅｌｖｅ  ｉｎｃｈｅｓ）の位置に形成される。例示的実施態様において図示した座席部３０は平面視において実質的に円形であるが、座席部の特定の形状は本発明にとって重要ではなく、座席部は、例えば長方形、正方形、卵形、楕円形等、他の形状に形成されてもよいことは理解されよう。
【００１４】
使用の際に、カバー１０はショッピングカート、幼児用椅子（ｈｉｇｈ  ｃｈａｉｒ）、または他の下にある座席構造に固定することができる。ここに説明するいくつかの構造的特徴は、座席カバーを下にある座席に取り付けるために単独または組み合わせて用いることができる。座席部３０は、カバー１０をショッピングカートの座席または幼児用椅子の角部に「引っ掛ける」ように配置され、かつ寸法の決められた第５通路４０、第６通路４２、第７通路４４、および第８通路４６を含むことができる。代替的に、またはこれに加え、カバー１０は、縫合されるか、接着されるか、さもなければ別の方法でカバー１０に付着された弾性バンド５０を含むことができる。図１および図２に示す実施態様は実質的に円形の弾性バンドを図示しているが、弾性バンドは、例えば長方形、正方形、卵形、楕円形等、他の形状に形成されてもよいことは理解されよう。代替的に、またはこれに加え、カバー１０は、使い捨て座席カバー１０を固定する、下にある座席に座席部３０を接着する１個以上の接着ストリップ５４、５６を含むことができる。接着ストリップ５４、５６は、使用に先立って剥離可能な光沢紙または他の適当なカバーで被覆されていてもよい。さらに、この剥離ストリップに、特定商品の広告および／またはクーポンを含む製品情報を印刷することができる。好ましくは、接着ストリップは、座席カバーを使用時には座席に固定したままとし、かつカバー１０を廃棄する際には容易に取り外せるような剥離強度を有する。座席カバーを座席上に固定するための他の選択肢は、引き紐、スナップ、ボタン、ベルクロ（Ｖｅｌｃｒｏ）、かぎホック、タイ／ストリング／レース（ｔｉｅｓ／ｓｔｒｉｎｇｓ／ｌａｃｅｓ）、クリップ、ジッパー、またはこれらの任意の組み合わせの使用を含むが、これに限定されるものではない。
【００１５】
カバー１０の特定の寸法は本発明にとって重要ではない。カバー１０は、異なる寸法のショッピングカート、幼児用椅子、または他の座席に適応するように種々の異なるサイズで製造可能である。例示的実施態様において、座席部は約３５．６ｃｍ（ｆｏｕｒｔｅｅｎ  ｉｎｃｈｅｓ）の半径を有する円を形成し、一方カバーシート（ｃｏｖｅｒ  ｓｈｅｅｔ）は約２５．４ｃｍ（ｔｅｎ  ｉｎｃｈｅｓ）×７１．１ｃｍ（ｔｗｅｎｔｙ−ｅｉｇｈｔ  ｉｎｃｈｅｓ）の大きさである。
【００１６】
図３は本発明の使い捨て衛生座席カバー１０の例示的実施態様の斜視図である。図３に示す実施態様は、弾性バンド５０によって、下にある座席へカバー１０を固定している。ミシン目が付された通路３２、３４、３６、および３８はベースシート１２の前面１４上に見ることができる。フラップ部２０はカバー１０の座席部３０より垂下する。図３は、カバー１０、および、特にカバー１０の前面１４が、貴重な広告スペースをもたらすことを示す。従って、カバー１０に、種々の商品および／またはサービスの広告を予めプリントした状態であってもよい。除去可能な部分２２は、カバー１０にプリントされた広告の商品またはサービスと関連した、例えば住所、電話番号、特別奉仕品、商品サンプル、クーポン等の広告情報を含むことができる。
【００１７】
図４は、本発明の使い捨て衛生座席カバーの例示的実施態様の他の上面図であり、カバー１０の広告の可能性をより明確に示す。図４を参照すると、座席カバーの座席部３０およびフラップ部２０は特定の商品の広告を含む。除去可能な部分２２は、上述のとおり、クーポンまたは他の商品情報を含むことができる。
【００１８】
図５および図６は、本発明によって、使い捨て衛生座席カバーの例示的実施態様をショッピングカートの座席に固定するのに関与するステップの順序を図示する。図５を参照すると、座席カバー１０はショッピングカート座席６０に適用するよう配置される。カバー１０を座席に適用するには、図６に示すとおり、使用者は単に弾性バンドをショッピングカート座席６０のフレーム部の角に引っ掛けるだけでよい。あるいは、ベースシートが通路４０、４２、４４、および４６を含む場合には、使用者は単にこれらの通路をショッピングカートの座席のフレーム部の角の上に引っ掛けるだけでよい。カバー１０が接着性ストリップ５４、５６を含む場合には、使用者はこれらのストリップをショッピングカート座席６０の底部に接着すればよい。図６に示すとおり、座席カバー１０は、座席の使用者とその下のショッピングカート座席６０との間のバリアを提供し、これによりショッピングカートの汚染された表面との接触を低減する。有利には、子供の脚が、通路３６、３８を画定するミシン目を貫通すると、座席カバーは子供の脚の周囲に留まり、周辺の汚染された表面からのさらなる保護を提供する。通路３２、３４、３６、および３８に対する他の選択肢は、（店舗が提供し、且つ着座領域の頂部に置かれた乳児用座席のための）無開口部、異なる形状のミシン目が付された開口部、両脚用の単一の大開口、仕上げされたまたは縫合された端を有する孔、（座席カバー全体を囲む弾性の縁と同様の）弾性端を伴う孔、あるいは、縫合、弾性および／またはミシン目を付された開口部の組み合わせの使用を含むが、これらに限定されるものではない。
【００１９】
使い捨て衛生座席カバーの一実施態様では、それ自体のシートベルトを有さないが、ショッピングカート、幼児用椅子等に備えられた既存の、適当なシートベルトを顧客が用いることを可能にする通路を備える。他の実施態様では、子供の一方の側にあるミシン目が付されたシートベルト開口部を貫通し、着座領域の後ろを回って、その他方の側にあるミシン目が付されたシートベルト開口部を貫通し、子供の前にて留めるという通し方（ｗｅａｖｉｎｇ）によって子供を固定する洗濯可能なシートベルトを伴う。例えば、シートベルトは使い捨て座席カバーの束（ｐａｃｋａｇｅ）を備えても良い。シートベルトは種々の開閉固定具（ｃｌｏｓｉｎｇ／ｏｐｅｎｉｎｇ  ｆｉｘｔｕｒｅｓ）を用いることができ、完全に洗濯可能であってよい。
【００２０】
図７は、ショッピングカート座席に配置された、広告が印刷された座席カバー１０を示す斜視図である。カバー１０が有効な広告スペースを提供することは、図７より明白である。
【００２１】
図８は、レストランで利用される種類を代表する幼児用椅子上の使い捨て衛生座席カバー１０の斜視図である。座席カバー１０は、実質的に上述と同じ方法で幼児用椅子の座席に固定される。
【００２２】
ベースシート１２は、例えば、共に衛生用製品の業界で幅広く用いられている適当なポリマーまたは不織繊維材料、またはそれらの混合物あるいは積層物から形成された実質的に平らな材料であってもよい。適当なポリマーは、一例として、ポリオレフィン、ポリアクリレート、またこれらのコポリマーおよび混合物を含む、フィルムを形成することのできる任意の材料を含むが、これに限定されるものではない。具体的なポリマーは、ポリエチレン、低密度ポリエチレン、直鎖低密度ポリエチレン（ｌｉｎｅａｒ  ｌｏｗ  ｄｅｎｓｉｔｙ  ｐｏｌｙｅｔｈｙｌｅｎｅ）、およびエチレンビニルアセテートを含むがこれに限定されるものではない。他の選択肢は、それら単体または組み合わせて用いられる、ペロン（ｐｅｌｌｏｎ：不織材料）、織物、布、ナイロン、ラテックス、マイラー（Ｍｙｌａｒ）、耐水性または撥水性材料、吸収性、クッション入り、抗菌性、またはリサイクルされた材料等の安価な材料を含む。これらの材料は、単一または多層とすることができる。
【００２３】
「不織」繊維材料の用語は、一般的に、重なり合った、しかし編物のような通常の反復性方法ではない、個々の繊維または糸の構造を有する材料に関する。不織布は典型的な編まれた布よりも低いコストで布のような美しさを提供する。不織布またはウェブは、例えばメルトブロー処理（ｍｅｌｔｂｌｏｗｉｎｇ  ｐｒｏｃｅｓｓｅｓ）、スパンボンド処理（ｓｐｕｎｂｏｎｄｉｎｇ  ｐｒｏｃｅｓｓｅｓ）、適合処理、スパンボンド／メルトブロー／スパンボンド処理、およびボンド・カードウ・ウェブ処理（ｂｏｎｄｅｄ  ｃａｒｄｅｄ  ｗｅｂ  ｐｒｏｃｅｓｓｅｓ）等の多くの処理より形成されることができる。これらの処理は、衛生業において公知であり、不織材料は容易に商業的に入手可能である。例えば、不織ラミネートは長年にわたってＳｐｕｎｇｕａｒｄ（登録商標）およびＥｖｏｌｕｔｉｏｎ（登録商標）等の標章のもと、Ｋｉｍｂｅｒｌｙ−Ｃｌａｒｋ社より市販されている。ベースシート１０は実質的に液体不浸透性、または液体浸透性であってもよい。
【００２４】
あるいは、ベースシート１２を弾性的特徴を示す材料から作ってもよく、これにより別体の弾性部材５０の必要性を低減または排除することができる。弾性シート材料（ｅｌａｓｔｉｃ  ｓｈｅｅｔ  ｍａｔｅｒｉａｌ）は当分野において公知である。例えば、Ｈａｆｆｎｅｒの米国特許第６，２０７，６３７号公報（Ｕ．Ｓ．Ｐａｔｅｎｔ  Ｎｏ．  ６，２０７，６３７）は熱可塑性ポリマーから製造された不織ウェブまたはフィルムを開示している。米国特許第６，０９６，６６８号公報（Ｕ．Ｓ．  Ｐａｔｅｎｔ  Ｎｏ．  ６，０９６，６６８）は液体不透過性弾性ラミネートを開示している。米国特許第６，００１，４６０号公報（Ｕ．Ｓ．  Ｐａｔｅｎｔ  Ｎｏ．  ６，００１，４６０）は、エラストマー・ポリマーシートおよび不織布シートで形成されたラミネート材料を開示している。他の適当な弾性シート材料は当業者には公知である。
【００２５】
カバー１０は、当分野において公知の従来のウェブ製造処理を用いて製造される。例えば、ベースシート１２を作る原材料は、バルクで、典型的にはロール状で購入することができる。ロールは、ウェブ製造ラインの第１端に配置されてよく、ロールの一方の端はラインの他方の端にあるドラムに接続していてもよい。ミシン目３２、３４、３６、３８および随意に４０、４２、４４および４６を、ウェブラインの第１操作においてベースシート１２に形成してもよい。さらに、ミシン目はライン内で隣接するカバー間に形成され、ウェブからのカバーの除去を容易にすることができる。フィルムを機械的に開口する一方法は、Ｍｏｒｒｉｓの米国特許第４，８２０，２９４号公報（Ｕ．Ｓ．  Ｐａｔｅｎｔ  Ｎｏ．  ４，８２０，２９４）に記載されており、その全体を引用してここに援用する。Ｍｏｒｒｉｓにおいて説明されているとおり、供給されたフィルムは回転可能なロール上に設けられた複数のピンまたは針と圧接される。次にピンをフィルムから引き抜き、所望の開口を残す。フィルムおよび他の材料を開口する他の方法は、Ｔｈｏｍｐｓｏｎの米国特許第３，９２９，１３５号公報（Ｕ．Ｓ．  Ｐａｔｅｎｔ  Ｎｏ．  ３，９２９，１３５）に記載のフィルムを真空開口する方法を含む。メルトブローされた不織布（ｍｅｌｔｂｌｏｗｎ  ｎｏｎｗｏｖｅｎｓ）を開口する方法は、Ｍｉｎｔｏの米国特許第４，４６９，７３４号公報（Ｕ．Ｓ．  Ｐａｔｅｎｔ  Ｎｏ．  ４，４６９，７３４）に記載されている。また、フィルムおよび他の基材を開口する方法は、Ｅｎｄｌｅｒのドイツ国特許第２６  １４  １６０号公報（Ｇｅｒｍａｎ  Ｐａｔｅｎｔ  Ｎｏ．  ２６  １４  １６０）、およびＧｉａｃｏｍｅｔｔｉの欧州特許出願公開公報第０  ５９８  ９７０Ａ１号（Ｅｕｒｏｐｅａｎ  Ｐａｔｅｎｔ  Ａｐｐｌｉｃａｔｉｏｎ  Ｎｏ．  ０  ５９８  ９７０Ａ１）に記載されている。
【００２６】
随意に、弾性バンド５０をウェブ製造ラインの第２位置に適用してもよい。弾性バンド５０は、ベースシート１２に接着されるか、縫合されるか、さもなければ他の方法で接続されていてもよい。弾性体を連続したウェブに付着させる方法は、ウェブ製造業において公知である。例えば、米国特許第６，１９７，１３８号および６，３８２，２９０号公報（Ｕ．Ｓ．  Ｐａｔｅｎｔ  Ｎｏｓ．  ６，１９７，１３８  ａｎｄ  ６，３８２，２９０）は、弾性部材が引き伸ばされていない状態で、弾性部材を移動する基材ウェブに結合する装置および方法を開示している。同様に、米国特許第５，５００，０６３号公報（Ｕ．Ｓ．  Ｐａｔｅｎｔ  Ｎｏ．  ５，５００，０６３）は、弾性バンドを、連続的に移動する、部分的に弾性のある基材に結合する方法を開示している。
【００２７】
随意に、接着性ストリップ５４、５６を製造工程の第３の操作において適用してもよい。接着性ストリップ５４、５６は製造工程の間連続したストリップで適用してもよい。
【００２８】
随意に、製造工程の第４の操作において、ベースシート１０の前面および／または背面に情報を印刷してもよい。ウェブベースの製造工程用の印刷方法は当分野において公知である。例えば、米国特許第５，８５３，８５９号公報（Ｕ．Ｓ．  Ｐａｔｅｎｔ  Ｎｏ．  ５，８５３，８５９）は、布にラテックス印刷をする方法を開示している。他の適当な印刷方法は、インクジェット印刷方法およびリソグラフ印刷方法を含む。
【００２９】
製造工程において操作の実施される特定の順序は本発明にとって重要ではない。操作の順序は変更してもよいことや、ある操作を省略してもよいことは理解されよう。また、連続したウェブベースの製造工程は不要であり、本発明によるカバーはひとつひとつ製造する工程において作ってもよいことも理解されよう。
【００３０】
本発明による複数の使い捨て座席カバーは、顧客への配送上予め包装されていてもよい。例示的実施態様において、配送のために、複数の座席カバーを含む連続したウェブを中心軸または核の周りに巻きつけロール状にすることができる。代替的実施態様において、配送のために、複数の使い捨てウェブカバーを互いに隣接させて束にまとめて包装内に配置してもよい。束にした座席カバーの部分は、包装からの取り出しを容易にするため、箱からティッシュを取り出す方法と同様にして、交互設置されていてもよい。
【００３１】
図９は、本発明による、使い捨て衛生座席カバーを配送するための例示的取り出し容器の斜視図である。取り出し容器は、内部チャンバを画定し、かつハウジングの一方の壁に位置する開口７２を有する壁取付可能なハウジング７０としてもよく、その開口を通してハウジング７２の内部チャンバに位置する使い捨て座席カバー１０が取り出される。使用の際には、図５および図６に示すとおり、使用者は使い捨て座席カバーをハウジングから取り出し、これを座席に適用する。
【００３２】
代替的実施態様において、カバー１０は積層構造から形成されていてもよい。例えば、ベースシートを第１層とし、異なるトップシート（ｔｏｐ  ｓｈｅｅｔ）を、着座領域の全てまたは一部を画定するように適用してもよい。さらに、ポケットを角部に形成し、下にある座席への固定を容易にすることができる。
【００３３】
例示的目的のためにここに詳細に説明する使い捨て衛生座席カバーの実施態様は、構造、設計、用途、および方法において、無論多くの異なる変更の対象となることに留意されたい。多くの変更実施態様および異なる実施態様は、ここに教示した発明概念の範囲内でなし得ることができ、また、多くの変形を、法の記述的必要条件に従ってここで説明した実施態様においてなし得ることができるので、ここでの説明は例示的であると解釈すべきであり、限定的な意味に解釈すべきではないことを理解されたい。
【図面の簡単な説明】
【００３４】
【図１】本発明の使い捨て衛生座席カバーの例示的実施態様の上面図である。
【図２】本発明の使い捨て衛生座席カバーの例示的実施態様の底面図である。
【図３】本発明の使い捨て衛生座席カバーの例示的実施態様の斜視図である。
【図４】本発明の使い捨て衛生座席カバーの例示的実施態様の他の上面図である。
【図５】本発明による、使い捨て衛生座席カバーの例示的実施態様をショッピングカートの座席に固定するのに関与するステップの順序を図示する。
【図６】本発明による、使い捨て衛生座席カバーの例示的実施態様をショッピングカートの座席に固定するのに関与するステップの順序を図示する。
【図７】ショッピングカートの座席に固定された使い捨て衛生座席カバーの例示的実施態様の斜視図である。
【図８】幼児用椅子への使い捨て衛生座席カバーの固定を説明する。
【図９】本発明による、衛生座席カバーと共に用いるための例示的取り出し容器の斜視図である。
【国際公開パンフレット】
2005501601.tif 000003
2005501601.tif 000004
2005501601.tif 000005
2005501601.tif 000006
2005501601.tif 000007
2005501601.tif 000008
2005501601.tif 000009
2005501601.tif 000010
2005501601.tif 000011
2005501601.tif 000012
2005501601.tif 000013
2005501601.tif 000014
2005501601.tif 000015
2005501601.tif 000016
2005501601.tif 000017
2005501601.tif 000018
2005501601.tif 000019
2005501601.tif 000020
2005501601.tif 000021
2005501601.tif 000022
2005501601.tif 000023
2005501601.tif 000024
【国際公開パンフレット（コレクトバージョン）】
2005501601.tif 000025
2005501601.tif 000026
【国際調査報告】
2005501601.tif 000027
2005501601.tif 000028